(57)【要約】【課題】墓の敷地内等において半永久的に設置して使用することができる新規な総石造りの塔婆立の提供を課題とする。【解決手段】長尺の石基台１０と、該石基台上１０に立設される左右一対の円柱状石支柱２０、２０と、該一対の石支柱２０の間に差し渡される上下で一対の石桟３０、３０とからなり、前記石基台１０の上面には、その両端付近にそれぞれ前記円柱状石支柱２０を立設するための嵌合穴部を形成し、前記一対の円柱状石支柱２０には、その石支柱２０の底面に前記石基台１０に形成された嵌合用穴部に嵌り込む嵌合凸部を形成すると共にその石支柱の側面に前記上下一対の各石桟３０の端部を受け入れる上下一対の水平嵌合凹部を形成し、前記上下一対の石桟３０には、それぞれ対応する１乃至複数箇所に卒塔婆を挿通して立て掛けるための縦貫通穴３１を形成した塔婆立である。【選択図】　　　　図１
0003098471.tif 000002
【実用新案登録請求の範囲】
【請求項１】
長尺の石基台と、該石基台上に立設される左右一対の円柱状石支柱と、該一対の石支柱の間に差し渡される上下で一対の石桟とからなり、前記石基台の上面には、その両端付近にそれぞれ前記円柱状石支柱を立設するための嵌合穴部を形成し、前記一対の円柱状石支柱には、その石支柱の底面に前記石基台に形成された嵌合用穴部に嵌り込む嵌合凸部を形成すると共にその石支柱の側面に前記上下一対の各石桟の端部を受け入れる上下一対の水平嵌合凹部を形成し、前記上下一対の石桟には、それぞれ対応する１乃至複数箇所に卒塔婆を挿通して立て掛けるための縦貫通穴を形成したことを特徴とする塔婆立。
【考案の詳細な説明】
【０００１】
【考案の属する技術分野】
本考案は塔婆立に関する。
【０００２】
【従来の技術】
従来、塔婆立は卒塔婆を立て掛けるために、例えば墓の敷地内や寺の敷地内などに設置され、使用に供されている。この塔婆立は卒塔婆を立て掛けるものであり、木製である卒塔婆に対して木製の塔婆立が元来用いられていた。しかし、最近は金属製のものが多く出回っている。
【０００３】
【考案が解決しようとする課題】
その一方、石材で作られた塔婆立もあるが、卒塔婆を立て掛ける部分等、比較的細かい細工が必要な部分があることから、塔婆立の全てが石材で仕上げられているものは少なかった。
【０００４】
そこで本考案は、墓の敷地内等において半永久的に設置して使用することができる新規な総石造りの塔婆立の提供を課題とする。
【０００５】
【課題を解決するための手段】
上記課題を達成するため、本考案の塔婆立は、長尺の石基台と、該石基台上に立設される左右一対の円柱状石支柱と、該一対の石支柱の間に差し渡される上下で一対の石桟とからなり、前記石基台の上面には、その両端付近にそれぞれ前記円柱状石支柱を立設するための嵌合穴部を形成し、前記一対の円柱状石支柱には、その石支柱の底面に前記石基台に形成された嵌合用穴部に嵌り込む嵌合凸部を形成すると共にその石支柱の側面に前記上下一対の各石桟の端部を受け入れる上下一対の水平嵌合凹部を形成し、前記上下一対の石桟には、それぞれ対応する１乃至複数箇所に卒塔婆を挿通して立て掛けるための縦貫通穴を形成したことを特徴としている。
【０００６】
【考案の実施の形態】
以下の図面を参照して、本考案の実施形態を説明する。
図１は本考案の第１の実施形態である塔婆立の全体斜視図、図２は石基台の斜視図、図３は石支柱の斜視図、図４は石桟の斜視図、図５は本考案の第２の実施形態である塔婆立の全体斜視図である。
【０００７】
図１〜４を参照して本考案の第１実施形態を説明する。
塔婆立は、石基台１０と、該石基台１０上に立設される左右一対の円柱状の石支柱２０、２０と、該一対の石支柱２０、２０の間に差し渡される上下で一対の石桟３０、３０とからなり、全体が石材のみから作られた総石造りにされている。
【０００８】
前記石基台１０は長尺の上面の中央部に立設して置かれ、若しくは合体されている。
前記石基台１０は上面と底面が両側面よりも大きく形成された平たい長尺の直方体形状を呈しており、上面の４辺部の角が２〜３の小さい段１１になるように削られている。
石基台１０の上面の両端付近にそれぞれ嵌合穴部１２、１２が形成されている。この嵌合穴部１２、１２を用いて前記石支柱２０、２０が石基台１０上に立設される。
【０００９】
前記一対の円柱状の石支柱２０、２０は、それぞれその上端部に宝珠２１を一体形成しており、また底面には嵌合凸部２２を形成している。
更に石支柱２０の側面には、その上下に離間した位置に、水平嵌合凹部２３、２４を形成している。
【００１０】
前記一対の石桟３０、３０は、前記一対の石支柱２０、２０間に差し渡される桟であり、平たい長尺の直方体形状を呈しており、その上面の中央部に長手方向に沿って２つの長穴からなる縦貫通穴３１、３１を形成している。
【００１１】
塔婆立の組み立ては、例えば一対の石支柱２０、２０に対して一対の石桟３０、３０を、その各石桟３０の端部を石支柱２０の水平嵌合凹部２３若しくは２４に嵌め合わせる。そして一対の石桟３０、３０を上下に嵌め合わせた状態で一対の石支柱２０、２０を、その嵌合凸部２２で石基板１０の嵌合穴部１２に嵌め込むことで、石支柱２０を石基板１０上に立設する。これによって塔婆立の組み立てができる。
【００１２】
卒塔婆は組み立てられた塔婆立の上下方向に一対の石桟３０、３０の上下方向に対応する縦貫通穴３１、３１に挿通させることで立て掛けることができる。
【００１３】
図５に沿って、本考案の第２の実施形態に係る塔婆立を説明する。本実施形態の塔婆立は、前記第１の実施形態の塔婆立よりも全体を大きくし、上下一対の石桟３０、３０にそれぞれ縦貫通穴３１を３ヵ所設けている、勿論、上下の石桟３０、３０において各縦貫通穴３１は上下の位置で一致するようにして、卒塔婆を上下で一対の縦貫通穴３１、３１に挿通して立て掛けることができるようにしている。
【００１４】
【考案の効果】
本考案は以上の構成、作用よりなり、請求項１に記載の塔婆立によれば、長尺の石基台と、該石基台上に立設される左右一対の円柱状石支柱と、該一対の石支柱の間に差し渡される上下で一対の石桟とからなり、前記石基台の上面には、その両端付近にそれぞれ前記円柱状石支柱を立設するための嵌合穴部を形成し、前記一対の円柱状石支柱には、その石支柱の底面に前記石基台に形成された嵌合用穴部に嵌り込む嵌合凸部を形成すると共にその石支柱の側面に前記上下一対の各石桟の端部を受け入れる上下一対の水平嵌合凹部を形成し、前記上下一対の石桟には、それぞれ対応する１乃至複数箇所に卒塔婆を挿通して立て掛けるための縦貫通穴を形成したので、
石基台と一対の円柱状石支柱と一対の石桟とからなる、金属品を一部にも使用することなく、総石造りの塔婆立を提供することができる。これによって、塔婆立を墓の敷地内やその他の場所において、他の石造りの墓石等と共に調和して、且つ雨風にさらされても風化することなく半永久的に設置することができる。
しかも塔婆立の組み立ては、石基台と石支柱と石桟とを相互に嵌め合わせるだけで簡単に、容易に行うことができ、且つ金物等の錆びたり朽ちたりする部品を使用することなく、長期にわたって安定して設置することができる。
【図面の簡単な説明】
【図１】本考案の第１の実施形態である塔婆立の全体斜視図である。
【図２】石基台の斜視図である。
【図３】石支柱の斜視図である。
【図４】石桟の斜視図である。
【図５】本考案の第２の実施形態である塔婆立の全体斜視図である。
【符号の説明】
１０　石基台
１１　段
１２　嵌合穴部
２０　石支柱
２１　宝珠
２２　嵌合凸部
２３、２４　水平嵌合凹部
３０　石桟
３１　縦貫通穴
【図１】
0003098471.tif 000003
【図２】
0003098471.tif 000004
【図３】
0003098471.tif 000005
【図４】
0003098471.tif 000006
【図５】
0003098471.tif 000007